(57)【特許請求の範囲】
【請求項１】
所定区域への通行者を識別するための個人情報が記録されたＩＤカードと、
上記所定区域の複数の通用口に設置されてそれぞれ上記ＩＤカードの記録内容を読み取るカードリーダと、
このカードリーダが上記ＩＤカードを読み取る毎にその読取時刻を上記カードリーダを識別する識別情報と共に上記ＩＤカードに対応させて記憶する個人情報記憶手段と、
上記各カードリーダのうち２つのカードリーダ間を移動するのに必要とされる移動時間が、上記２つのカードリーダの各組合わせについて予め記録された移動時間記憶手段と、
上記カードリーダが上記ＩＤカードを新たに読み取ったとき、この読取時刻と、上記個人情報記憶手段に記憶された上記ＩＤカードに対応する上記読取時刻であって直前に読み取られた読取時刻との時間間隔を演算する時間間隔演算手段と、
上記時間間隔が対応する上記移動時間よりも短いとき、新たに読み取った上記ＩＤカードを偽造カードとして検出する偽造カード検出手段とを備えたことを特徴とする出入管理装置。
【請求項２】
所定区域への通行者を識別するための個人情報が記録されたＩＤカードと、
上記所定区域の単一の通用口の入口側と出口側の双方に設置されて上記ＩＤカードの記録内容を読み取るカードリーダと、
このカードリーダが上記ＩＤカードを読み取る毎にその読取時刻を上記ＩＤカードに対応させて記憶する個人情報記憶手段と、
上記所定区域内で上記入口側のカードリーダから上記出口側のカードリーダまで移動するのに必要とされる域内移動時間が予め記録された域内移動時間記憶手段と、
上記所定区域外で上記出口側のカードリーダから上記入口側のカードリーダまで移動するのに必要とされる域外移動時間が予め記録された域外移動時間記憶手段と、
上記入口側のカードリーダが上記ＩＤカードを新たに読み取ったとき、この入口側の読取時刻と、上記個人情報記憶手段に記憶された上記ＩＤカードの読取時刻であって上記出口側のカードリーダにより直前に読み取られた出口側の読取時刻との時間間隔である域外時間間隔を演算する域外時間間隔演算手段と、
上記出口側の上記カードリーダが上記ＩＤカードを新たに読み取ったとき、この出口側の読取時刻と、上記個人情報記憶手段に記憶された上記ＩＤカードの読取時刻であって上記入口側のカードリーダにより直前に読み取られた入口側の読取時刻との時間間隔である域内時間間隔を演算する域内時間間隔演算手段と、
上記域外時間間隔が上記域外移動時間よりも短いとき、または上記域内時間間隔が上記域内移動時間よりも短いとき、新たに読み取った上記ＩＤカードを偽造カードとして検出する偽造カード検出手段とを備えたことを特徴とする出入管理装置。
【請求項３】
請求項１又は請求項２に記載の出入管理装置において、カードリーダを、所定区域の通用口の入口側と出口側の双方に設置されるものとし、個人情報記憶手段を、上記カードリーダがＩＤカードを読み取る毎にその読取時刻を上記カードリーダを識別する識別情報と共に上記ＩＤカードに対応させて上記入口側と上記出口側に分けて記憶するものとし、移動時間記憶手段を、上記入口側の上記カードリーダが上記ＩＤカードを読み取ってから次に上記出口側の上記カードリーダが同一の上記ＩＤカードを読み取るまでに通行者が所定区域内を移動するのに少なくとも必要とされる域内移動時間と、上記出口側の上記カードリーダが上記ＩＤカードを読み取ってから次に上記入口側の上記カードリーダが同一の上記ＩＤカードを読み取るまでに上記通行者が上記所定区域外を移動するのに少なくとも必要とされる域外移動時間の双方が入口側の上記カードリーダと出口側の上記カードリーダの組合せに対応させて記録されたものとし、時間間隔演算手段を、上記入口側の上記カードリーダが上記ＩＤカードを新たに読み取ったとき、この読取時刻と上記個人情報記憶手段に記憶された上記ＩＤカードに対応する上記出口側の上記読取時刻であって直前に読み取られた上記読取時刻との時間間隔である域外時間間隔及び上記出口側の上記カードリーダが上記ＩＤカードを新たに読み取ったとき、この読取時刻と上記個人情報記憶手段に記憶された上記ＩＤカードに対応する上記入口側の上記読取時刻であって直前に読み取られた上記読取時刻との時間間隔である域内時間間隔を演算するものとし、偽造カード検出手段を、上記入口側の上記カードリーダが上記ＩＤカードを新たに読み取ったときの上記域外時間間隔が対応する上記域外移動時間よりも短いとき、又は上記出口側の上記カードリーダが上記ＩＤカードを新たに読み取ったときの上記域内時間間隔が対応する上記域内移動時間よりも短いとき、新たに読み取った上記ＩＤカードをいずれも偽造カードとして検出するものとした出入管理装置。
【請求項４】
請求項１又は請求項２に記載の出入管理装置において、カードリーダを、所定区域の通用口の入口側にのみ設置されるものとし、移動時間記憶手段を、上記カードリーダがＩＤカードを読み取ってから次に同一の上記ＩＤカードを読み取るまでに通行者が所定区域の内外を移動するのに少なくとも必要とされる域内外移動時間が上記カードリーダ相互間について定められて記録されたものとし、時間間隔演算手段を、上記カードリーダが上記ＩＤカードを新たに読み取ったとき、この読取時刻と個人情報記憶手段に記憶された上記ＩＤカードに対応する読取時刻であって直前に読み取られた上記読取時刻との時間間隔である域内外時間間隔を演算するものとし、偽造カード検出手段を、上記カードリーダが上記ＩＤカードを新たに読み取ったとき、その域内外時間間隔が対応する上記域内外移動時間よりも短いとき新たに読み取った上記ＩＤカードを偽造カードとして検出するものとした出入管理装置。
【請求項５】
所定区域への通行者を識別するための個人情報が記録されたＩＤカードと、
上記所定区域の通用口の入口側と出口側の双方に設置されたカードリーダと、
このカードリーダが上記ＩＤカードを読み取る毎にその読取時刻を上記ＩＤカードに対応させて上記入口側と上記出口側に分けて記憶する個人情報記憶手段と、
上記所定区域内で上記入口側のカードリーダから上記出口側のカードリーダまで移動するのに必要とされる域内移動時間が、上記入口側のカードリーダと上記出口側のカードリーダの各組合わせについて予め記録された域内移動時間記憶手段と、
上記所定区域外で上記出口側のカードリーダから上記入口側のカードリーダまで移動するのに必要とされる域外移動時間が、上記入口側のカードリーダと上記出口側のカードリーダの各組合わせについて予め記録された域外移動時間記憶手段と、
上記入口側のカードリーダが上記ＩＤカードを新たに読み取ったとき、この入口側の読取時刻と、上記個人情報記憶手段に記憶された上記ＩＤカードの読取時刻であって上記出口側のカードリーダにより直前に読み取られた出口側の読取時刻との時間間隔である域外時間間隔を演算する域外時間間隔演算手段と、
上記ＩＤカードを新たに読み取ったときの入口側の読取時刻と、上記個人情報記憶手段に記憶された上記ＩＤカードに対応する上記入口側の読取時刻であって直前に読み取られた入口側の読取時刻との時間間隔である入口側時間間隔を演算する手段と、
上記出口側の上記カードリーダが上記ＩＤカードを新たに読み取ったとき、この出口側の読取時刻と、上記個人情報記憶手段に記憶された上記ＩＤカードの読取時刻であって上記入口側のカードリーダにより直前に読み取られた入口側の読取時刻との時間間隔である域内時間間隔を演算する域内時間間隔演算手段と、
上記ＩＤカードを新たに読み取ったときの出口側の読取時刻と、上記個人情報記憶手段に記憶された上記ＩＤカードに対応する上記出口側の読取時刻であって直前に読み取られた出口側の読取時刻との時間間隔である出口側時間間隔を演算する手段と、
上記域外時間間隔が上記域外移動時間よりも短い場合と、上記域外時間間隔が上記入口側時間間隔よりも長い場合と、上記域内時間間隔が上記域内移動時間よりも短い場合と、上記域内時間間隔が上記出口側時間間隔よりも長い場合とからなる４つの条件のうち少なくとも何れか１つの条件が成立したとき、新たに読み取った上記ＩＤカードを偽造カードとして検出する偽造カード検出手段とを備えたことを特徴とする出入管理装置。
【請求項６】
偽造カード検出手段が偽造カードを検出したとき、上記偽造カードを携帯した通行者の通行を阻止する通行阻止手段を備えた請求項１から請求項５のいずれかに記載の出入管理装置。
【請求項７】
偽造カード検出手段が偽造カードを検出したとき、その旨の警報を表示する表示装置を備えた請求項１から請求項４のいずれかに記載の出入管理装置。
【請求項８】
偽造カード検出手段が偽造カードを検出したとき、上記偽造カードを携帯した通行者の通行を阻止するか否かを選択できる選択手段を備えた請求項１から請求項５のいずれかに記載の出入管理装置。
【発明の詳細な説明】
【０００１】
【発明の属する技術分野】
この発明は、所定区域への通行を管理する出入管理装置に関するものである。
【０００２】
【従来の技術】
近年、ビルや所定の場所への通用口の扉には、カードリーダや電気錠が備えられていて、通行者を識別する個人情報が記録されたＩＤカードにより通行者や物の出入を管理する出入管理装置が普及するようになった。しかし、ＩＤカードは紛失することがあり、また、偽造されたりするため、ＩＤカードの個人情報と使用者とが一致しない場合がある。そこで、ＩＤカードの不正使用を防止するために、例えば特開平５−２３３８９６号公報には、ＩＤカードに加えて入退室者の指の特徴に関する情報も利用することにより、扉の開閉制御のセキュリティ向上を図るようにしたものが開示されている。
【０００３】
また、図１２及び図１３に示す従来例は、ＩＤカード２が紛失した場合に、この紛失されたものと同じ個人情報が記録されたＩＤカード２を使用して通行するするのを阻止するようにしたものである。
即ち、所定区域１には複数の通用口１Ｇ１〜１Ｇｍが設けられており、各通用口１Ｇ１〜１Ｇｍにはカードリーダ３と電気錠３１によって施錠された扉が取り付けられている。また、上記扉の開閉を制御する扉制御装置３２と、扉の開閉を検知する開閉センサ３３も上記各通用口１Ｇ１〜１Ｇｍ毎に設けられている。このらの各装置は端末制御装置１４によって制御されており、更に上記端末制御装置１４は中央制御装置１１によって制御される。なお、ＩＤカード２の登録等は設定装置１３から中央制御装置１１に入力されると、中央制御装置１１から各端末制御装置１４に送信される。
【０００４】
上記構成の出入管理装置による通用口１Ｇ１〜１Ｇｍの出入管理を図１３に従って述べる。
手順Ｓ４１でカードリーダ３がＩＤカード２を読み取ったことが検出されると、手順Ｓ４２で上記ＩＤカード２が登録されたＩＤカード２か否かが調べられる。登録されたＩＤカード２ではない場合、手順Ｓ５０で通行できない旨をカードリーダ３に備えられた表示部（図示しない。）に表示する。一方、登録されたＩＤカード２の場合は、更に手順Ｓ４３で紛失等により現在では使用できない不正カードとして登録されたＩＤカード２か否か調査される。不正カードの場合は手順Ｓ４９で表示装置１２にその旨の警報を表示して係員に知らせると共に手順Ｓ５０で通行者の通行を阻止する。
手順Ｓ４３で不正カードではないことが判明した場合、手順Ｓ４４でカードリーダ３の上記表示部に通行可能を表示し、手順Ｓ４５で電気錠３１を解錠する。手順Ｓ４６で所定時間待って開閉センサ３３が開扉を検知したか否か調べる。閉扉のままの場合は手順Ｓ５１で電気錠３１を施錠する。所定時間経過した時点で開閉センサ３３が開扉を検知した場合、手順Ｓ４７で通行者の出入するのを待って扉制御装置３２に扉を閉じさせた後、電気錠３１で施錠する。手順Ｓ４８で端末制御装置１４は中央制御装置１１に通行したことを通知して出入管理を終わる。
【０００５】
【発明が解決しようとする課題】
ところで、近年、カードの普及に伴ってＩＤカード２の発行装置や読取装置が容易に入手できるようになり、ＩＤカード２の偽造が増加してきている。特にＩＤカード２が磁気カードの場合は、パソコン等に接続できるカードリーダ３で、ＩＤカード２の内容をそのままコピーしたカードを発行できる装置が市販されるまでになっている。このようして偽造されたＩＤカード２であっても、そこに記録されている内容が登録されたものである限り、カードリーダ３は正しいＩＤカード２として認識してしまい、通用口１Ｇ１〜１Ｇｍの電気錠３１を解いて通行を可能にしてしまう、という問題があった。
また、このような偽造カードを検出するには時間がかかるため、不正カードとして登録して図１３の手順Ｓ４３で偽造カードか否かを調べるように設定するまでの間、通行不許可者による通用口の通行を許すことになり、長期に亘って出入管理が実質的に不能になる、という問題もあった。
【０００６】
この発明は、上記問題点を解決するためになされたものであり、同一内容のＩＤカードが複数存在する場合に発生するカードリーダによる特有の読取頻度を検出することにより、偽造されたＩＤカードの存在を早期に検出するようにして、所定区域への通行管理のセキュリティを充実させた出入管理装置を得ることを目的とするものである。
【０００７】
【課題を解決するための手段】
この発明に係る第１の出入管理装置は、所定区域への複数の通用口に設置されたカードリーダ間を通行者が移動するのに少なくとも必要とされる移動時間を予め設定しておいて、上記移動時間よりも短い時間間隔で同内容のＩＤカードが読み取られたとき、上記ＩＤカードと同内容の偽造カードが存在するとしたものである。
【０００８】
この発明に係る第２の出入管理装置は、所定区域への単一の通用口に設置されたカードリーダがＩＤカードを読み取ってから次に同一のＩＤカードを読み取るまでに通行者が移動するのに少なくとも必要とされる移動時間を予め設定しておいて、上記移動時間よりも短い時間間隔で同内容のＩＤカードが読み取られたとき、上記ＩＤカードと同内容の偽造カードが存在するとしたものである。
【０００９】
この発明に係る第３の出入管理装置は、上記第１又は上記第２の出入管理装置において、カードリーダを所定区域の入口側と出口側の双方に設置し、通行者が入口側のカードリーダから出口側のカードリーダまで所定区域内を移動するのに少なくとも必要とされる域内移動時間と、出口側のカードリーダから入口側のカードリーダまで所定区域外を移動するのに少なくとも必要とされる域外移動時間の双方を予め設定しておいて、入口側のカードリーダが読み取ってから上記域内移動時間よりも短い時間間隔で出口側のカードリーダが同内容のＩＤカードを読み取ったとき、又は出口側のカードリーダが読み取ってから上記域外移動時間よりも短い時間間隔で入口側のカードリーダが同内容のＩＤカードを読み取ったとき、上記ＩＤカードと同内容の偽造カードが存在するとしたのである。
【００１０】
この発明に係る第４の出入管理装置は、上記第１又は上記第２の出入管理装置において、カードリーダは、所定区域の通用口の入口側にのみ設置されるものとし、カードリーダがＩＤカードを新たに読み取ったとき、その読取時間間隔である域内外時間間隔が通行者が上記カードリーダ間を移動するのに少なくとも必要とされる移動時間である域内外移動時間よりも短いとき、新たに読み取ったＩＤカードを偽造カードとして検出するようにしたものである。
【００１１】
この発明に係る第５の出入管理装置は、所定区域への重複入場又は重複出場を偽造カードとして検出するようにしたものである。即ち、入口側のカードリーダが同じ記録内容のＩＤカードを二度読み取った間に、出口側のカードリーダが上記ＩＤカードを一度も読み取っていないとき、又は出口側のカードリーダが同じ記録内容のＩＤカードを二度読み取った間に、入口側のカードリーダが上記ＩＤカードを一度も読み取っていないとき、それぞれ偽造カードとして検出するようにしたものである。
【００１２】
この発明に係る第６の出入管理装置は、上記第１から第５の出入管理装置において、偽造カードが検出されたとき、この偽造カードの通行者の通行を阻止するようにしたものである。
【００１３】
この発明に係る第７の出入管理装置は、上記第１から第５の出入管理装置において、偽造カードが検出されたとき、その旨の警報を表示するようにしたものである。
【００１４】
この発明に係る第８の出入管理装置は、上記第１から第５の出入管理装置において、偽造カードが検出されたとき、この偽造カードを携帯した通行者の通行を阻止するか否かを選択できるようにしたものである。
【００１５】
【発明の実施の形態】
実施の形態１．
【００１６】
図１から図８は、この発明の実施の形態１を示す。この実施の形態１は、所定区域には複数の通用口が設けられていて、各通用口にはそれぞれカードリーダが設置されて通行を管理する出入管理装置を示す。
図１は、実施の形態１の全体構成図である。図において、１は通行者の出入を管理するための所定区域、１Ｇはこの所定区域１への通用口、２は通行者を識別するための個人情報が記録されたＩＤカード、３は所定区域１の通用口１Ｇに設置されてＩＤカード２の記録内容を読み取るカードリーダ、４はカードリーダ３がＩＤカード２を読み取る毎にその読取時刻をカードリーダ３を識別する識別情報と共にＩＤカード２に対応させて記憶する個人情報記憶手段、５はカードリーダ３がＩＤカード２を読み取ってから次に同一のＩＤカード２を読み取るまでに通行者がカードリーダ３の間を移動するのに少なくとも必要とされる移動時間Ｔｓが各カードリーダ３相互間について定められた移動時間記憶手段、６はカードリーダ３がＩＤカード２を新たに読み取ったとき、この読取時刻と個人情報記憶手段４に記憶されたＩＤカード２に対応する読取時刻であって直前に読み取られた読取時刻との時間間隔Ｔｒを演算する時間間隔演算手段、７はカードリーダ３がＩＤカード２を新たに読み取ったとき、その時間間隔Ｔｒが移動時間Ｔｓよりも短いとき新たに読み取ったＩＤカードを偽造カードとして検出する偽造カード検出手段である。
【００１７】
図２は、図１の全体構成図に基づき、所定区域の各通用口に入口用と出口用のカードリーダを設置して通行を管理する出入管理装置の全体構成図を示す。
図において、図１と同符号は同一部分を示し、１Ｇ１〜１Ｇｍは所定区域１への複数の通用口で、通用口１Ｇを個別に表したものである。３ｅは各通用口１Ｇ１〜１Ｇｍに設けられた入口側のカードリーダ、３ｄは同じく出口側のカードリーダ、１１は中央制御装置、１２はこの中央制御装置１１によって制御されて各通用口１Ｇ１〜１Ｇｍにおける通行状態を表示する表示装置、１３は移動時間Ｔｓを設定したり不正カードの指定を行うための設定装置、１４は各通用口１Ｇ１〜１Ｇｍ毎に設けられてカードリーダ３ｅ及び３ｄからの情報を個人情報記憶手段４に記録したり扉の開閉を制御する端末制御装置で、中央制御装置１１からの指令に基づいて移動時間Ｔｓを移動時間記憶手段５に記録するものである。
【００１８】
３１ｅは各通用口１Ｇ１〜１Ｇｍの入口側の扉（図示しない。）の電気錠、３１ｄは同じく出口側の扉の電気錠、３２ｅは入口側の扉の開閉を制御する扉制御装置、３２ｄは出口側の扉制御装置、３３ｅは入口側の扉の開閉状態を検知する開閉センサ、３３ｄは出口側の扉の開閉センサ、３４ｅは入口側の通用口を通行者が通過したことを検知する通行センサ、３４ｄは出口側の通行センサである。
【００１９】
図３は、移動時間記憶手段５の構成要素である域内移動時間記憶手段５ｅの記憶内容を示す。この域内移動時間記憶手段５ｅは、移動時間Ｔｓのうち入口側のカードリーダ３ｅがＩＤカード２を読み取ってから次に出口側のカードリーダ３ｄが同一のＩＤカード２を読み取るまでに通行者が所定区域１内を移動するのに少なくとも必要とされる域内移動時間Ｔｓｅが記録されている。従って、域内移動時間Ｔｓｅは、入口側のカードリーダ３ｅと出口側のカードリーダ３ｄの組合せに対応させて記録されている。
例えば、通行者がＮＯ．１０１のカードリーダ３ｅを経由して所定区域１内に入ってＮＯ．２０４のカードリーダ３ｄから出るとすると、この場合の域内移動時間Ｔｓｅは２０秒となる。
【００２０】
図４は、移動時間記憶手段５の構成要素である域外移動時間記憶手段５ｄの記憶内容を示す。この域外移動時間記憶手段５ｄは、移動時間Ｔｓのうち出口側のカードリーダ３ｄがＩＤカード２を読み取ってから次に入口側のカードリーダ３ｅが同一のＩＤカード２を読み取るまでに通行者が所定区域１外を移動するのに少なくとも必要とされる域外移動時間Ｔｓｄが記録されている。従って、域外移動時間Ｔｓｄは、出口側のカードリーダ３ｄと入口側のカードリーダ３ｅの組合せに対応させて記録されている。
例えば、通行者がＮＯ．２０１のカードリーダ３ｄを経由して所定区域１外に出てＮＯ．１０４のカードリーダ３ｅから入るとすると、この場合の域外移動時間Ｔｓｄは２５秒となる。
【００２１】
図５は、個人情報記憶手段４の記憶内容を示す。この個人情報記憶手段４はカードリーダ３がＩＤカード２を読み取る毎にその読取時刻を通行時刻としてカードリーダ３の識別情報である番号と共にＩＤカード２に対応させて記憶する。この実施の形態１では、入口側のカードリーダ３ｅと出口側のカードリーダ３ｄに分けて記憶する。
例えば、ＮＯ．１のＩＤカード２は、１９９９年７月３０日１６時５０分３５秒にＮＯ．２０１のカードリーダ３ｄから出て、１９９９年７月３１日８時５０分３０秒にＮＯ．１０１のカードリーダ３ｅから入り、現在所定区域１内に滞在中であることになる。また、ＮＯ．２のＩＤカード２は、現時点で所定区域１内に入っていないことになる。ＮＯ．３のＩＤカード２は不正カードとして登録されており、使用不能である。
【００２２】
図６及び図７は端末制御装置１４の動作を示す。なお、図２では入口側の装置類には数字の符号の末尾に「ｅ」を付し、出口側には「ｄ」を付して区別したが、以下の説明で両者を総称する場合、数字のみの符号とした。
手順Ｓ１１でカードリーダ３がＩＤカード２を読み取ると、手順Ｓ１２で登録されたＩＤカード２であるか否かを調べる。登録されていない場合は手順Ｓ２７で通行できない旨をカードリーダ３に備えられた表示部（図示しない。）に表示して終了する。登録されたＩＤカード２の場合は、Ｓ１３で不正カードとして登録されているものか否かを調べる。例えば、図５のＮＯ．３のＩＤカード２は不正カードであり、不正カードの場合は、手順Ｓ２４でその旨の警報を中央制御装置１１を介して表示装置１２に表示し、更に手順Ｓ２７で通行不可の表示をする。不正カードではない場合は手順Ｓ１４で時間間隔Ｔｒを演算する。
【００２３】
手順Ｓ１５は偽造カードを検出する手順で、手順Ｓ１５ａと手順Ｓ１５ｂからなる。手順Ｓ１５ａでは時間間隔Ｔｒが移動時間Ｔｓ未満のときは偽造カードとし、手順Ｓ１５ｂは同一のＩＤカード２の連続読取りを検出する手順である。即ち、同一のＩＤカード２を入口側のカードリーダ３ｅが２回読み取る間に出口側のカードリーダ３ｄが１回も読み取っていないとき、又は出口側のカードリーダ３ｄが２回読み取る間に入口側のカードリーダ３ｅが１回も読み取っていないとき、いずれも偽造カードとする。偽造カードに該当しない場合は正常なＩＤカード２とする。
【００２４】
図７に基づいて、偽造カードの検出方法を述べる。
図７（ａ）の時刻ｔ１２で読み取られたＩＤカード２と同内容の偽造カードが存在するか否かを調べる手順について述べる。
入口側のカードリーダ３ｅが時刻ｔ１１で、また、出口側のカードリーダ３ｄが時刻ｔ２１で同一内容のＩＤカード２を読み取っており、それぞれ個人情報記憶手段４に記録されている。その後時刻ｔ１２で入口側のカードリーダ３ｅが上記同一のＩＤカード２を再度読み取っている。
手順Ｓ１４で、時間間隔Ｔｒのうち通行者が域外にいる時間である域外時間間隔Ｔｒｄが演算される。即ち、Ｔｒｄ＝ｔ１２−ｔ２１。この域外時間間隔Ｔｒｄが域外移動時間Ｔｓｄよりも長いので、手順Ｓ１５ａでは正常なＩＤカード２とされる。
また、図７（ａ）より明かなとおり、時刻ｔ１２で読み取られたＩＤカード２と同一内容のＩＤカード２であって入口側のカードリーダ３ｅによって直前に読み取られて個人情報記憶手段４に記録された読取時刻ｔ１１との時間間隔である入口側時間間隔Ｔｅｅが、域外時間間隔Ｔｒｄよりも長い。即ち、時刻ｔ１２での読取りは所定区域１への重複入場ではない。従って、時刻ｔ１２での読取りは手順Ｓ１５ｂでも正常なＩＤカード２とされる。
【００２５】
図７（ｂ）の時刻ｔ２３で読み取られたＩＤカード２と同内容の偽造カードが存在するか否かを調べる手順について述べる。上記図７（ａ）と同様に、同一内容のＩＤカード２が時刻ｔ２２と時刻ｔ１３で読み取られて、それぞれ個人情報記憶手段４に記録されている。
手順Ｓ１４で時間間隔Ｔｒのうち通行者が域内にいる時間である域内時間間隔Ｔｒｅが演算される。即ち、Ｔｒｅ＝ｔ２３−ｔ１３。この域内時間間隔Ｔｒｅが域内移動時間Ｔｓｅよりも長いので、手順Ｓ１５ａでは正常なＩＤカード２とされる。
また、時刻ｔ２３で読み取られたＩＤカード２と同一内容のＩＤカード２であって出口側のカードリーダ３ｄによって直前に読み取られて個人情報記憶手段４に記録された読取時刻ｔ２２との時間間隔である出口側時間間隔Ｔｄｄが、域内時間間隔Ｔｒｅよりも長い。即ち、時刻ｔ２３での読取りは所定区域１からの重複出場ではない。従って、時刻ｔ２３での読取りは手順Ｓ１５ｂでも正常なＩＤカード２とされる。
【００２６】
図７（ｃ）の時刻ｔ１５で入口側のカードリーダ３ｅによって読み取られたＩＤカード２と同内容の偽造カードが存在するか否かを調べる手順について述べる。上記図７（ａ）と同様に、同一内容のＩＤカード２が時刻ｔ１４と時刻ｔ２４で読み取られて、それぞれ個人情報記憶手段４に記録されている。時刻ｔ２４から時刻ｔ１５までの域外時間間隔Ｔｒｄは域外移動時間Ｔｓｄよりも短い。即ち、同一人物が域外時間間隔Ｔｒｄで所定区域１から出て、そして入ることは不可能である。従って、時刻ｔ１５で読み取られたＩＤカード２には偽造カードが存在することになり、手順Ｓ１５ａから手順Ｓ２５に移り、その旨の警報が表示装置１２に報知される。
【００２７】
図７（ｄ）の時刻ｔ１７で入口側のカードリーダ３ｅによって読み取られたＩＤカード２と同内容の偽造カードが存在するか否かを調べる手順について述べる。上記図７（ａ）と同様に、同一内容のＩＤカード２が時刻ｔ２５と時刻ｔ１６で読み取られて、それぞれ個人情報記憶手段４に記録されている。図より域外時間間隔Ｔｒｄは域外移動時間Ｔｓｄよりも長い。従って、手順Ｓ１５ａではＩＤカード２は正常とされる。
しかし、時刻ｔ１７で読み取られたＩＤカード２と同一内容のＩＤカード２であって入口側のカードリーダ３ｅによって直前に読み取られて個人情報記憶手段４に記録された読取時刻ｔ１６との時間間隔である入口側時間間隔Ｔｅｅが域外時間間隔Ｔｒｄよりも短い。即ち、時刻ｔ１７での読取りは所定区域１への重複入場となる。従って、時刻ｔ１７で読み取られたＩＤカード２と同内容の偽造カードが存在することになり、手順Ｓ１５ｂでは時刻ｔ１７のＩＤカード２は偽造カードとされる。
【００２８】
図７（ｅ）の時刻ｔ２７で出口側のカードリーダ３ｄによって読み取られたＩＤカード２と同内容の偽造カードが存在するか否かを調べる手順について述べる。上記図７（ａ）と同様に、同一内容のＩＤカード２が時刻ｔ１８と時刻ｔ２６で読み取られて、それぞれ個人情報記憶手段４に記録されている。図より、域内時間間隔Ｔｒｅは域内移動時間Ｔｓｅよりも長い。従って、手順Ｓ１５ａではＩＤカード２は正常とされる。
しかし、時刻ｔ２７で読み取られたＩＤカード２と同一内容のＩＤカード２であって出口側のカードリーダ３ｄによって直前に読み取られて個人情報記憶手段４に記録された読取時刻ｔ２６との時間間隔である出口側時間間隔Ｔｄｄが域内時間間隔Ｔｒｅよりも短い。即ち、時刻ｔ２７での読取りは所定区域１からの重複出場となる。従って、時刻ｔ２７で読み取られたＩＤカード２と同内容の偽造カードが存在することになり、時刻ｔ２７での読取りは手順Ｓ１５ｂで偽造カードとされる。
【００２９】
手順Ｓ１５で偽造カードとされたときは、手順Ｓ２５でその旨の警報が表示装置１２に報知される。手順Ｓ２６で通行許否フラグＦＬＧが「不許」に設定されている場合は手順Ｓ２７で「通行不可」をカードリーダ３に備えられた表示部に表示し、扉を施錠したまま処理を終了する。
手順Ｓ２６で通行許否フラグＦＬＧが「許」に設定されている場合、又は手順Ｓ１５で正常なＩＤカード２とされた場合、手順Ｓ１６でカードリーダ３の表示部に「通行可」を表示し、手順Ｓ１７で電気錠３１の解錠指令をする。手順Ｓ１８で扉制御装置３２に扉開放を指令する。手順Ｓ１９で扉が開放するまで所定時間待機した後、手順Ｓ２０で開閉センサ３３が扉の開放を検知したか否かを調べる。開放していない場合は、手順Ｓ２８で電気錠３１の施錠を指令して処理を終了する。手順Ｓ２０で開閉センサ３３が扉の開放を検知した場合は、手順Ｓ２１で通行センサ３４が通行を検知するのを待って手順Ｓ２２で閉扉を指令した後電気錠３１の施錠を指令する。手順Ｓ２３で通行センサ３４が通用口１Ｇ１〜１Ｇｍを人が通行したことを検知すると、ＩＤカード２の個人情報と共に通行時刻を中央制御装置１１に通知して、端末制御装置１４での処理を終了する。
【００３０】
図８は、中央制御装置１１の動作を示す。手順Ｓ３１で、図６の手順Ｓ２３に示した端末制御装置１４からの通行通知を受けると、手順Ｓ３２でＩＤカード２の個人情報、即ち、ＩＤ番号、カードリーダ３の識別情報である番号、及び通行時刻を受信する。手順Ｓ３３で上記個人情報を各個人情報記憶手段４に送り、該当するＩＤ番号のカードリーダ番号、及び通行時刻を更新する。手順Ｓ３４で表示装置１２に手順Ｓ３２で受信した上記個人情報を表示して処理を終了する。
【００３１】
上記実施の形態１によれば、通行者がカードリーダ３間を移動するのに少なくとも必要とされる移動時間Ｔｓを予め設定しておいて、上記移動時間Ｔｓよりも短い時間間隔Ｔｒで同内容のＩＤカード２が読み取られたとき、上記ＩＤカード２と同内容の偽造カードが存在するとしたので、偽造されたＩＤカード２の存在を早期に検出することができる。また、偽造カードに記録されている個人情報も検知できるので、不正カードに指定する等の事後対策も早期にとることができ、所定区域１への通行管理のセキュリティを向上させることができる。
【００３２】
また、上記実施の形態１によれば、カードリーダ３を所定区域１の入口側と出口側の双方に設置し、通行者が入口側のカードリーダ３ｅから出口側のカードリーダ３ｄまで所定区域１内を移動するのに少なくとも必要とされる域内移動時間Ｔｓｅと、出口側のカードリーダ３ｄから入口側のカードリーダ３ｅまで所定区域１外を移動するのに少なくとも必要とされる域外移動時間Ｔｓｄの双方を予め設定しておいて、上記域内移動時間Ｔｓｅよりも短い域内時間間隔Ｔｒｅで同内容のＩＤカード２が読み取られたとき、又は上記域外移動時間Ｔｓｄよりも短い域外時間間隔Ｔｒｄで同内容のＩＤカード２が読み取られたとき、上記ＩＤカード２と同内容の偽造カードが存在するとしたので、入口側と出口側の双方で偽造カードの検出をすることになり、更に早期に偽造カードの存在を検知することができる。
【００３３】
更に、上記実施の形態１によれば、入口側のカードリーダ３ｅによる同一内容のＩＤカード２の読取時間間隔である入口側時間間隔Ｔｅｅが域外時間間隔Ｔｒｄよりも短い場合は所定区域１への重複入場とし、出口側時間間隔Ｔｄｄが域内時間間隔Ｔｒｅよりも短い場合は所定区域１への重複出場として、上記ＩＤカード２と同内容の偽造カードが存在するとしたので、早期に偽造カードの存在を検知することができる。また、読取時間間隔による偽造カードの検出と併用することにより、更に早期に偽造カードの存在を検知できる。
【００３４】
更にまた、偽造カードの存在が検出された場合、通行を阻止するようにしたので、不適格者による所定区域１への侵入を防止できる。
【００３５】
更にまた、偽造カードの存在が検出された場合、警報表示をするようにしたので、偽造カードの存在を係員に容易に知らせることができる。
【００３６】
更にまた、偽造カードによる通行を阻止するか否か任意に選択できるようにしたので、不適格者による所定区域１への侵入を阻止することもでき、また、通行を許可するとすればグループに対して同一内容の複数のＩＤカードを与えておいて、同じグループに属する通行者は通行を許可することができ、グループに対する通行管理が可能となる。
なお、上記実施の形態１では、通用口１Ｇ１〜１Ｇｍは複数存在するものとしたが、１箇所であっても同様である。この場合、域内移動時間記憶手段５ｅ及び域外移動時間記憶手段５ｄは、入口側及び出口側にそれぞれ１台のカードリーダ３が設置されるとして、域内移動時間Ｔｓｅ及び域外移動時間Ｔｓｄが設定される。
【００３７】
実施の形態２．
図９から図１１は実施の形態２を示す。上記実施の形態１では、各通行口１Ｇ１〜１Ｇｍには入口及び出口にそれぞれカードリーダ３が設置されるものとしたが、この実施の形態２は、入口側にのみカードリーダ３ｅが設置されるとした。図９は所定区域１への入口側の通用口１Ｇ１〜１Ｇｍで通行管理を行う出入管理装置の一部構成のを示し、図示を省略した部分は図２と同じである。また、図２と同符号は同一部分を示し、説明を省略する。
【００３８】
図１０は移動時間記憶手段５の記憶内容を示し、カードリーダ３ｅがＩＤカード２を読み取ってから次にいずれかのカードリーダ３ｅが同一のＩＤカード２を読み取るまでに通行者が所定区域１内及び外を移動するのに少なくとも必要とされる域内外移動時間Ｔｓｅｄが記録されている。
【００３９】
上記構成の出入管理装置において、図１１に示すように、ＩＤカード２が時刻ｔ３１で読み取られて個人情報記憶手段４に記録されているときに、時刻ｔ３２で新たに同内容のＩＤカード２が読み取られたとする。このときの域内外時間間隔Ｔｒｅｄ１は域内外移動時間Ｔｓｅｄよりも長いので、ＩＤカード２は正常とされて、図８の手順Ｓ３３と同様に、個人情報を各個人情報記憶手段４に送り、該当するＩＤ番号のカードリーダ番号、及び通行時刻を更新する。
その後、時刻ｔ３３で新たに同内容のＩＤカード２が読み取られたとする。個人情報記憶手段４に更新記録された時刻ｔ３２との域内外時間間隔Ｔｒｅｄ２は域内外移動時間Ｔｓｅｄよりも短い。このため、時刻ｔ３３で読み取られたＩＤカード２と同内容の偽造カードが存在することになり、図６の手順Ｓ１５で検出された偽造カードと同様に処理される。
【００４０】
上記実施の形態２によっても、同様に偽造カードの存在を早期に検出することができ、所定区域１への通行管理のセキュリティを向上させることができる。
なお、上記実施の形態２では、通用口は複数存在するとしたが、１箇所であって入口側のみ通行管理する場合も同様である。
【００４１】
【発明の効果】
この発明は、以上述べたとおり構成されているので、以下の効果を奏する。
この発明に係る第１の出入管理装置は、所定区域への複数の通用口に設置されたカードリーダ間を通行者が移動するのに少なくとも必要とされる移動時間を予め設定しておいて、上記移動時間よりも短い時間間隔で同内容のＩＤカードが読み取られたとき、上記ＩＤカードと同内容の偽造カードが存在するとしたので、偽造されたＩＤカードの存在を早期に検出することができる、という効果を奏する。
【００４２】
この発明に係る第２の出入管理装置は、所定区域への単一の通用口に設置されたカードリーダがＩＤカードを読み取ってから次に同一のＩＤカードを読み取るまでに通行者が移動するのに少なくとも必要とされる移動時間を予め設定しておいて、上記移動時間よりも短い時間間隔で同内容のＩＤカードが読み取られたとき、上記ＩＤカードと同内容の偽造カードが存在するとしたので、偽造されたＩＤカードの存在を早期に検出することができる、という効果を奏する。
【００４３】
この発明に係る第３の出入管理装置は、上記第１又は上記第２の出入管理装置において、カードリーダを所定区域の入口側と出口側の双方に設置し、通行者が入口側のカードリーダから出口側のカードリーダまで所定区域内を移動するのに少なくとも必要とされる域内移動時間と、出口側のカードリーダから入口側のカードリーダまで所定区域外を移動するのに少なくとも必要とされる域外移動時間の双方を予め設定しておいて、上記域内移動時間よりも短い域内時間間隔で同内容のＩＤカードが読み取られたとき、又は上記域外移動時間よりも短い域外時間間隔で同内容のＩＤカードが読み取られたとき、上記ＩＤカードと同内容の偽造カードが存在するとしたのである。
このため、入口側と出口側の双方で偽造カードの検出をすることになり、更に早期に偽造カードの存在を検知することができる、という効果を奏する。
【００４４】
この発明に係る第４の出入管理装置は、上記第１又は上記第２の出入管理装置において、カードリーダは、所定区域の通用口の入口側にのみ設置されるものとし、カードリーダがＩＤカードを新たに読み取ったとき、その読取時間間隔である域内外時間間隔が通行者が上記カードリーダ間を移動するのに少なくとも必要とされる移動時間である域内外移動時間よりも短いとき、新たに読み取ったＩＤカードを偽造カードとして検出するようにしたものである。
このため、上記と同様に偽造されたＩＤカードの存在を早期に検出できる、という効果を奏する。
【００４５】
この発明に係る第５の出入管理装置は、所定区域への重複入場又は重複出場を検出して偽造カードとしたので、同様に早期に偽造カードの存在を検知することができる、という効果を奏する。
【００４６】
この発明に係る第６の出入管理装置は、上記第１から第５の出入管理装置において、偽造カードが検出されたとき、この偽造カードを携帯した通行者の通行を阻止するようにしたので、不適格者による所定区域への侵入を防止できる、という効果を奏する。
【００４７】
この発明に係る第７の出入管理装置は、上記第１から第５の出入管理装置において、偽造カードが検出されたとき、その旨の警報を表示するようにしたので、係員は偽造カードの存在を容易に知得できる、という効果を奏する。
【００４８】
この発明に係る第８の出入管理装置は、上記第１から第５の出入管理装置において、偽造カードが検出されたとき、この偽造カードを携帯した通行者の通行を阻止するか否かを選択できるようにしたものである。
このため、偽造カードの使用者をその場で阻止するのか、その場は正常通行を許可し、警備員による確認等の別手段により偽造カードの使用を確認する等の運用を図るかの選択を行うことができる、という効果を奏する。
【図面の簡単な説明】
【図１】  この発明の実施の形態１における出入管理装置の全体構成図。
【図２】  図１に示す出入管理装置のうち、入口と出口の双方で通行を管理する出入管理装置の全体構成図。
【図３】  域内移動時間記憶手段５ｅの記憶内容を示す図。
【図４】  域外移動時間記憶手段５ｄの記憶内容を示す図。
【図５】  個人情報記憶手段４の記憶内容を示す図。
【図６】  端末制御装置１４の動作を示す流れ図。
【図７】  端末制御装置１４の動作を説明する説明用図。
【図８】  中央制御装置１１の動作を示す流れ図。
【図９】  この発明の実施の形態２における出入管理装置の要部構成図。
【図１０】  移動時間記憶手段５の記憶内容を示す図。
【図１１】  端末制御装置１４の動作を説明する説明用図。
【図１２】  従来の出入管理装置の全体構成図。
【図１３】  従来の出入管理装置の動作を示す流れ図。
【符号の説明】
１  所定区域、  １Ｇ  通用口、  １Ｇ１  通用口、  １Ｇｍ  通用口、  ２ＩＤカード、  ３  カードリーダ、  ３ｅ  入口側カードリーダ、  ３ｄ  出口側カードリーダ、  ４  個人情報記憶手段、  ５  移動時間記憶手段、  ５ｅ域内移動時間記憶手段、  ５ｄ  域外移動時間記憶手段、  ６  時間間隔演算手段、  ７  偽造カード検出手段、  １１  中央制御装置、  １２  表示装置、１３  設定装置、  １４  端末制御装置、  ３１ｅ  電気錠、  ３１ｄ  電気錠、  ３２ｅ  扉制御装置、  ３２ｄ  扉制御装置、  ３３ｅ  開閉センサ、  ３３ｄ  開閉センサ、  ３４ｅ  通行センサ、  ３４ｄ  通行センサ。
【図１】
0004522513.tif 000002
【図２】
0004522513.tif 000003
【図３】
0004522513.tif 000004
【図４】
0004522513.tif 000005
【図５】
0004522513.tif 000006
【図６】
0004522513.tif 000007
【図７】
0004522513.tif 000008
【図８】
0004522513.tif 000009
【図９】
0004522513.tif 000010
【図１０】
0004522513.tif 000011
【図１１】
0004522513.tif 000012
【図１２】
0004522513.tif 000013
【図１３】
0004522513.tif 000014